(57)【要約】【課題】コマ収差と非点収差を円滑に抑制可能な光ピックアップ装置を提供する。【解決手段】半導体レーザ１２１は、ＣＤ用の赤外レーザ光とＤＶＤ用の赤色レーザ光を出射する。コリメータレンズ１２４とＣＤ／ＤＶＤ用対物レンズ１２７は、赤外レーザ光に対して光軸合わせが行われている。ＣＤ／ＤＶＤ用対物レンズ１２７は、ホルダ１３１の基準面に平行な状態から、ＣＤ／ＤＶＤ用対物レンズ１２７が持つ固有コマ収差を抑制し、且つ、赤色レーザ光に生じる非点収差を抑制する方向に傾くように、ホルダ１３１に装着される。【選択図】図１
2011227943.tif 000002
【特許請求の範囲】
【請求項１】
第１のレーザ光を出射する第１のレーザ素子と前記第１のレーザ光と波長が異なる第２のレーザ光を出射する第２のレーザ素子とが、同一ＣＡＮ内に、出射方向を同じにして収容された第１のレーザ光源と、
前記第１のレーザ光と前記第２のレーザ光が入射するコリメータレンズと、
前記コリメータレンズを透過した前記第１のレーザ光と前記第２のレーザ光が入射する第１の対物レンズと、
前記第１の対物レンズを保持するホルダと、
前記ホルダを少なくともフォーカス方向およびトラッキング方向に駆動するアクチュエータと、を備え、
前記コリメータレンズと前記第１の対物レンズは、これらの光軸が前記第１のレーザ光の光軸に一致するように配置され、
前記第１の対物レンズは、前記ホルダの基準面に平行な状態から、前記第１の対物レンズが持つコマ収差を抑制し、且つ、前記第２のレーザ光に生じる非点収差を抑制する方向に傾くように、前記ホルダに装着される、
ことを特徴とする光ピックアップ装置。
【請求項２】
請求項１に記載の光ピックアップ装置において、
前記第１の対物レンズは、前記第２のレーザ光の光軸と前記第１の対物レンズの光軸との間の角度が小さくなる方向に傾くように、前記ホルダに装着される、
ことを特徴とする光ピックアップ装置。
【請求項３】
請求項１または２に記載の光ピックアップ装置において、
前記第１の対物レンズは、前記第１の対物レンズが持つコマ収差の発生方向と、前記第１の対物レンズを傾けることによって発生するコマ収差の発生方向が正反対となるように、前記ホルダに装着される、
ことを特徴とする光ピックアップ装置。
【請求項４】
請求項１ないし３の何れか一項に記載の光ピックアップ装置において、
前記第１の対物レンズは、前記コリメータレンズを透過した前記第２のレーザ光が前記第１のレーザ光の光軸に近づく方向に傾いている、
ことを特徴とする光ピックアップ装置。
【請求項５】
請求項１ないし４の何れか一項に記載の光ピックアップ装置において、
前記第１のレーザ光および前記第２のレーザ光と波長が異なる第３のレーザ光を出射する第２のレーザ光源と、
前記第２のレーザ光源が入射する第２の対物レンズとを更に備え、
前記第２の対物レンズは、前記ホルダの前記基準面に平行な状態から、前記第２の対物レンズが持つコマ収差を抑制する方向に傾くように、前記ホルダに装着される、
ことを特徴とする光ピックアップ装置。
【請求項６】
請求項５に記載の光ピックアップ装置において、
前記第１の対物レンズと前記第２の対物レンズは、同じ方向に傾くように、前記ホルダに装着される、
ことを特徴とする光ピックアップ装置。
【発明の詳細な説明】
【技術分野】
【０００１】
本発明は、光ピックアップ装置に関するものであり、特に、２つの波長のレーザ光が一つの対物レンズに入射する光ピックアップ装置に用いて好適なものである。
【背景技術】
【０００２】
現在、ＣＤ（CompactDisc）、ＤＶＤ（Digital Versatile Disc）等、種々の光ディス
クが商品化されている。かかるディスクの多様化に伴い、異種の光ディスクに対応可能な互換型の光ピックアップ装置が開発されている。
【０００３】
この種の光ピックアップ装置では、異なる波長のレーザ光が、それぞれ、対応するディスクに照射される。この場合、一つのＣＡＮ内に、たとえば２つのレーザ素子が収容された、いわゆるマルチ発光タイプの半導体レーザが用いられ得る（たとえば、特許文献１参照）。各レーザ素子からは、互いに、光軸がずれた状態で、各波長のレーザ光が出射される。光ピックアップ装置の光学系は、たとえば、一方のレーザ光の光軸を基準にレイアウトされる。この場合、他方のレーザ光は、光軸がずれた状態でコリメータレンズや対物レンズに入射する。
【０００４】
なお、光ピックアップ装置においては、コマ収差の問題が懸案になっている（たとえば特許文献２）。コマ収差は、ディスクの保護層の厚みが増すのに伴って大きくなる。また、コマ収差は、対物レンズの開口数が増加するのに伴って大きくなり、さらに、レーザ光の波長が短くなるのに伴って大きくなる。この他、コマ収差は、対物レンズの整形誤差によっても生じる。対物レンズが樹脂材料から成形される場合、整形誤差により生じるコマ収差の大きさと発生方向は、成形ロッド毎に異なる。
【先行技術文献】
【特許文献】
【０００５】
【特許文献１】特開２００５−２０３０４８号公報
【特許文献２】特開平１１−２３９６０号公報
【発明の概要】
【発明が解決しようとする課題】
【０００６】
対物レンズ固有のコマ収差は、対物レンズを傾斜させて配置し、逆方向のコマ収差を発生させることにより抑制できる。しかし、このように対物レンズを傾斜させると、レーザ光の光軸が対物レンズの光軸から傾くため非点収差が発生する。特に、上記のように、２つの波長のレーザ光が対物レンズに入射する場合、光軸がずれた状態でコリメータレンズに入射する方のレーザ光は、斜め方向から対物レンズに入射するようになる。このため、コマ収差を打ち消すために対物レンズを傾斜させると、斜め方向から入射するレーザ光に対する非点収差がさらに大きくなる惧れがある。
【０００７】
本発明は、かかる課題に鑑みてなされたものであり、コマ収差と非点収差を円滑に抑制可能な光ピックアップ装置を提供することを目的とする。
【課題を解決するための手段】
【０００８】
本発明の主たる態様は、異なる種類の光ディスクに対応可能な光ピックアップ装置に関する。本態様に係る光ピックアップ装置は、第１のレーザ光を出射する第１のレーザ素子と前記第１のレーザ光と波長が異なる第２のレーザ光を出射する第２のレーザ素子とが、同一ＣＡＮ内に、出射方向を同じにして収容された第１のレーザ光源と、前記第１のレー
ザ光と前記第２のレーザ光が入射するコリメータレンズと、前記コリメータレンズを透過した前記第１のレーザ光と前記第２のレーザ光が入射する第１の対物レンズと、前記第１の対物レンズを保持するホルダとを備える。前記コリメータレンズと前記第１の対物レンズは、これらの光軸が前記第１のレーザ光の光軸に一致するように配置される。また、前記第１の対物レンズは、前記ホルダの基準面に平行な状態から、前記第１の対物レンズが持つコマ収差を抑制し、且つ、前記第２のレーザ光に生じる非点収差を抑制する方向に傾くように、前記ホルダに装着される。
【０００９】
なお、「基準面」とは、ホルダが中立位置にあるとき、すなわち、第１のレーザ光が対応する光ディスクにオンフォーカスされた位置にホルダが位置づけられたときに、前記第１のレーザ光の光軸に垂直となる面のことである。「基準面」は、ホルダに実際に存在しても良く、あるいは、ホルダに仮想的に設定された面であっても良い。実際の設計では、光ピックアップ装置が光ディスク装置のガイドシャフトに案内されてスレッド方向に移動する平面が「基準面」に設定され得る。
【発明の効果】
【００１０】
本発明によれば、コマ収差と非点収差を円滑に抑制可能な光ピックアップ装置を提供することができる。
【００１１】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００１２】
【図１】実施の形態に係る光ピックアップ装置の構成を示す図である。
【図２】実施の形態に係る半導体レーザの構成を示す図である。
【図３】実施の形態に係る対物レンズの傾き調整機構を説明する図である。
【図４】実施の形態に係る対物レンズの傾け方を説明する図である。
【図５】実施の形態に係る固有コマ収差が抑制されることを模式的に示す図である。
【図６】実施の形態に係る対物レンズの傾き角と非点収差の関係を示す図である。
【図７】実施の形態に係る対物レンズの傾け方の変更例を示す図である。
【図８】実施の形態に係る対物レンズの傾き方向と対物レンズに対するＤＶＤ光の入射方向との関係を示す図である。
【図９】実施の形態に係る対物レンズの傾き方向と対物レンズに対するＤＶＤ光の入射方向との関係を示す図である。
【図１０】実施の形態に係る光ピックアップ装置の構成の変更例を示す図である。
【図１１】実施の形態に係る光ピックアップ装置の構成の変更例を示す図である。
【図１２】実施の形態による効果を示す図である。
【図１３】実施の形態による効果を示す図である。
【発明を実施するための形態】
【００１３】
以下、本発明の実施の形態につき図面を参照して説明する。本実施の形態は、ＢＤ（ブルーレイディスク）とＣＤ（Compact Disc）およびＤＶＤ（Digital Versatile Disc）に対応可能な光ピックアップ装置に本発明を適用したものである。
【００１４】
図１に、実施の形態に係る光ピックアップ装置の光学系を示す。同図（ａ）は光学系の上面図、同図（ｂ）は対物レンズアクチュエータ周辺部分を側面側から見た内部透視図である。この光学系は、ＢＤ用の光学系とＣＤ／ＤＶＤ用の光学系に区分される。
【００１５】
ＢＤ用の光学系は、半導体レーザ１０１と、回折格子１０２と、偏光ビームスプリッタ
１０３と、コリメータレンズ１０４と、レンズアクチュエータ１０５と、立ち上げミラー１０６と、λ／４板１０７と、ＢＤ用対物レンズ１０８と、アナモレンズ１０９と、光検出器１１０と、ＦＭＤ（Front Monitor Diode）１１１から構成されている。
【００１６】
半導体レーザ１０１は、波長４００ｎｍ程度の青色レーザ光を出力する。回折格子１０２は、半導体レーザ１０１から出射されたレーザ光をメインビームと２つのサブビームに分割する。偏光ビームスプリッタ１０３は、回折格子１０２側から入射されたレーザ光を反射および透過する。なお、半導体レーザ１０１は、出射レーザ光の偏光方向が偏光ビームスプリッタ１０３に対してＳ偏光となる方向からややずれるように配置されている。これにより、回折格子１０２を透過したレーザ光は、たとえば、９５％が偏光ビームスプリッタ１０３により反射され、残り５％が偏光ビームスプリッタ１０３を透過する。
【００１７】
コリメータレンズ１０４は、偏光ビームスプリッタ１０３によって反射されたレーザ光を平行光に変換する。レンズアクチュエータ１０５は、コリメータレンズ１０４をレーザ光の光軸方向に駆動する。なお、コリメータレンズ１０４とレンズアクチュエータ１０５は、収差補正手段として機能する。
【００１８】
立ち上げミラー１０６は、コリメータレンズ１０４を介して入射されたレーザ光をＢＤ用対物レンズ１０８に向かう方向（同図Ｚ軸方向）に反射する。λ／４板１０７は、反射ミラー１０６によって反射されたレーザ光を円偏光に変換するとともに、ディスクからの反射光を、ディスクへ向かうときの偏光方向に直交する直線偏光に変換する。これにより、ディスクによって反射されたレーザ光は、大半が偏光ビームスプリッタ１０３を透過して光検出器１１０へと導かれる。
【００１９】
ＢＤ用対物レンズ１０８は、青色波長のレーザ光を、ＢＤの信号面上に適正に収束できるよう設計されている。すなわち、ＢＤ用対物レンズ１０８は、０．１ｍｍ厚の基板を介して信号面上に青色波長のレーザ光を適正に収束できるよう設計されている。
【００２０】
アナモレンズ１０９は、ディスクによって反射されたレーザ光を光検出器１１０上に収束させる。その際、レーザ光に非点収差が導入される。光検出器１１０は、受光したレーザ光の強度分布から再生ＲＦ信号、フォーカスエラー信号およびトラッキングエラー信号を導出するためのセンサーレイアウトを有している。なお、本実施の形態では、フォーカスエラー信号の生成手法として非点収差法が採用され、トラッキングエラー信号の生成手法としてＤＰＰ（Differential Push Pull）法が採用されている。光検出器１１０は、これらの手法に従ってフォーカスエラー信号およびトラッキングエラー信号を導出するためのセンサーレイアウトを有している。
【００２１】
ＦＭＤ１１１は、偏光ビームスプリッタ１０３を透過したレーザ光を受光して、受光光量に応じた信号を出力する。ＦＭＤ１１１からの信号は、半導体レーザ１０１の出力制御に用いられる。
【００２２】
ＣＤ／ＤＶＤ用の光学系は、半導体レーザ１２１と、回折格子１２２と、平行平板１２３と、コリメータレンズ１２４と、立ち上げミラー１２５と、λ／４板１２６と、ＣＤ／ＤＶＤ用対物レンズ１２７と、補正板１２８と、光検出器１２９と、ＦＭＤ（Front Monitor Diode）１３０から構成されている。
【００２３】
半導体レーザ１２１は、一つのＣＡＮ内に、波長７８０ｎｍ程度の赤外レーザ光と波長６５０ｎｍ程度の赤色レーザ光を出力するレーザ素子を備える。
【００２４】
図２（ａ）、（ｂ）に、半導体レーザ１２１の構成を示す。同図（ａ）は側面透視図、
同図（ｂ）は出射口側から見た上面透視図である。同図（ａ）、（ｂ）において、１２１ａ、１２１ｂは、レーザ素子である。レーザ素子１２１ａは、波長６５０ｎｍ程度の赤色レーザ光を出射し、レーザ素子１２１ｂは、波長７８０ｎｍ程度の赤外色レーザ光を出射する。図示のとおり、レーザ素子１２１ａ、１２１ｂは、出射口側から見て一直線上に並ぶよう、基体１２１ｃに、所定の間隔をもって、マウントされている。
【００２５】
図１に戻り、回折格子１２２は、半導体レーザ１２１から出射されたレーザ光をメインビームと２つのサブビームに分割する。平行平板１２３は、偏光ビームスプリッタ１０３と同様、回折格子１２２側から入射されたレーザ光を反射および透過する。平行平板１２３には、レーザ光の入射面に偏光膜が形成されている。半導体レーザ１２１は、出射レーザ光の偏光方向が平行平板１２３の偏光膜に対してＳ偏光となる方向からややずれるように配置されている。これにより、回折格子１２２を透過したレーザ光は、たとえば、９５％が平行平板１２３（偏光膜）により反射され、残り５％が平行平板１２３（偏光膜）を透過する。
【００２６】
コリメータレンズ１２４は、平行平板１２３によって反射されたレーザ光を平行光に変換する。
【００２７】
立ち上げミラー１２５は、コリメータレンズ１２４を介して入射されたレーザ光をＣＤ／ＤＶＤ用対物レンズ１２７に向かう方向（同図Ｚ軸方向）に反射する。λ／４板１２６は、反射ミラー１２５によって反射されたレーザ光を円偏光に変換するとともに、ディスクからの反射光を、ディスクへ向かうときの偏光方向に直交する直線偏光に変換する。これにより、ディスクによって反射されたレーザ光は、大半が平行平板１２３を透過して光検出器１２９へと導かれる。
【００２８】
ＣＤ／ＤＶＤ用対物レンズ１２７は、赤外波長のレーザ光と赤色波長のレーザ光を、それぞれ、ＣＤとＤＶＤの信号面上に適正に収束できるよう設計されている。すなわち、ＣＤ／ＤＶＤ用対物レンズ１２７は、１．２ｍｍ厚の基板を介して信号面上に赤外波長のレーザ光を適正に収束でき、且つ、０．６ｍｍ厚の基板を介して信号面上に赤色波長のレーザ光を適正に収束できるよう設計されている。
【００２９】
補正板１２８は、ディスクによって反射され、平行平板１２３を透過したレーザ光の非点収差の方向を調整する。ディスクによって反射されたレーザ光は、平行平板１２３を透過することにより、非点収差が導入される。補正板１２８は、こうして導入された非点収差の方向を、ディスクからのトラック像の方向に対して４５度の角度となるように、レーザ光の光軸に対し傾けて配置される。すなわち、平行平板１２３によって導入される非点収差と、補正板１２８によって導入される非点収差とが合成されて、非点収差の方向が、光検出器１２９の受光面上において、ディスクからのトラック像の方向に対して４５度の角度となる。
【００３０】
光検出器１２９は、受光したレーザ光の強度分布から再生ＲＦ信号、フォーカスエラー信号およびトラッキングエラー信号を導出するためのセンサーレイアウトを有している。なお、本実施の形態では、上記の如く、フォーカスエラー信号の生成手法として非点収差法が採用され、トラッキングエラー信号の生成手法としてＤＰＰ（Differential Push Pull）法が採用されている。光検出器１２９は、これらの手法に従ってフォーカスエラー信号およびトラッキングエラー信号を導出するためのセンサーレイアウトを有している。
【００３１】
ＦＭＤ１３０は、回折格子１２２側から入射され平行平板１２３を透過したレーザ光を受光して、受光光量に応じた信号を出力する。ＦＭＤ１３０からの信号は、半導体レーザ１２１の出力の制御に用いられる。
【００３２】
なお、本実施の形態において、ＣＤ／ＤＶＤ用の光学系は、ＣＤ用の赤外レーザ光を基準にレイアウトされる。したがって、コリメータレンズ１２４とＣＤ／ＤＶＤ用対物レンズ１２７の光軸は、それぞれ、ＣＤ用の赤外レーザ光の光軸に整合され、ＤＶＤ用の赤色レーザ光は、コリメータレンズ１２４とＣＤ／ＤＶＤ用対物レンズ１２７に対し、光軸ずれを持った状態で入射する。ＤＶＤ用の赤色レーザ光の光軸と、コリメータレンズ１２４およびＣＤ／ＤＶＤ用対物レンズ１２７の光軸のずれ量は、図２に示すレーザ素子１２１ａ、１２１ｂ間の間隔に相当する。
【００３３】
赤外レーザ光と赤色レーザ光は、半導体レーザ１２１から、所定の光軸ずれをもって、Ｙ軸負方向に出射される。その後、赤外レーザ光と赤色レーザ光は、平行平板１２３によって反射され、Ｘ軸正方向に進む。赤外レーザ光は、その光軸がコリメータレンズの光軸に整合しているため、コリメータレンズ１２４を透過してＸ軸正方向に進む。これに対し、赤色レーザ光は、その光軸がコリメータレンズの光軸からずれているため、コリメータレンズ１２４を透過した後、Ｘ軸正方向からＹ軸負方向に傾く方向に進む。しかる後、赤外レーザ光と赤色レーザ光は、反射ミラー１２５によって反射される。反射された赤外レーザ光は、Ｚ軸正方向に進んで、ＣＤ／ＤＶＤ用対物レンズ１２７に入射する。これに対し、赤色レーザ光は、Ｚ軸正方向からＹ軸負方向に傾く方向に進んで、ＣＤ／ＤＶＤ用対物レンズ１２７に入射する。
【００３４】
ＢＤ用対物レンズ１０８およびＣＤ／ＤＶＤ用対物レンズ１２７と、λ／４板１０７、１２６は、共通のホルダ１３１に装着されている。このホルダ１３１は、対物レンズアクチュエータ１３２によって、フォーカス方向およびトラッキング方向に駆動される。したがって、ＢＤ用対物レンズ１０８およびＣＤ／ＤＶＤ用対物レンズ１２７と、λ／４板１０７、１２６は、ホルダ１３１の駆動に伴って一体的に駆動される。対物レンズアクチュエータ１３２は、コイルと磁気回路からなり、このうち、コイルがホルダ１３１に装着されている。なお、ホルダ１３１は、さらにチルト方向に駆動されても良い。
【００３５】
ＢＤ用対物レンズ１０８とＣＤ／ＤＶＤ用対物レンズ１２７は、光ピックアップ装置が光ディスク装置に装着されたときに、ディスクの径方向（Ｙ軸方向）に並ぶように配置されている。このとき、これら２つの対物レンズのうち、レンズ径の小さいＢＤ用対物レンズ１０８の方がディスク内周側に配置される。また、ＢＤ用対物レンズ１０８とＣＤ／ＤＶＤ用対物レンズ１２７は、ホルダ１３１の基準面（後述）に対して傾くように配置されている。
【００３６】
図３は、ＢＤ用対物レンズ１０８とＣＤ／ＤＶＤ用対物レンズ１２７の傾き調整機構を説明する図である。なお、同図には、ＣＤ／ＤＶＤ用対物レンズ１２７の傾き調整機構のみが図示されているが、ＢＤ用対物レンズ１０８の傾き調整機構も同様に構成されている。
【００３７】
同図（ａ）を参照して、ＣＤ／ＤＶＤ用対物レンズ１２７は、レンズホルダ２０１に装着された状態で、ホルダ１３１に装着される。
【００３８】
レンズホルダ２０１は、軸対象なコマ形状を有している。レンズホルダ２０１には、上方からＣＤ／ＤＶＤ用対物レンズ１２７を嵌め込むことが可能なレンズ収容部２０１ａが形成されている。レンズ収容部２０１ａは、円柱状の内面を有しており、その径は、第２の対物レンズレンズ１２７の径よりも僅かに大きくなっている。
【００３９】
レンズ収容部２０１ａの下部には円環状の段部２０１ｂが形成され、この段部２０１ｂに続いて、円形の開口２０１ｃがレンズホルダ２０１の底面から外部に抜けるように形成
されている。段部２０１ｂの内径は対物レンズ１２７の径よりも小さくなっている。レンズホルダ２０１ａの上面から段部２０１ｂまでの寸法は、ＣＤ／ＤＶＤ用対物レンズ１２７の光軸方向の厚みよりもやや大きくなっている。
【００４０】
レンズホルダ２０１の底部分（図中の２点鎖線以下の部分）は、球面２０１ｄとなっている。この球面２０１ｄは、後述のように、ホルダ１３１上面の受け部１３１ｂと面接触する。
【００４１】
ホルダ１３１には、上下に貫通する開口１３１ａが形成されている。また、ホルダ１３１の上面には、レンズホルダ２０１の球面２０１ｄと面接触する球面状の受け部１３１ｂが形成されている。
【００４２】
ＣＤ／ＤＶＤ用対物レンズ１２７の装着時には、まず、ＣＤ／ＤＶＤ用対物レンズ１２７がレンズホルダ２０１のレンズ収容部２０１ａに嵌め込まれる。ＣＤ／ＤＶＤ用対物レンズ１２７の下端がレンズ収容部２０１ａの段部２０１ｂに当接するまでＣＤ／ＤＶＤ用対物レンズ１２７がレンズ収容部２０１ａに嵌め込まれた後、ＣＤ／ＤＶＤ用対物レンズ１２７がレンズホルダ２０１に接着固定される。これにより、ＣＤ／ＤＶＤ用対物レンズ１２７がレンズホルダ２０１に装着される。
【００４３】
その後、同図（ｂ）に示すように、レンズホルダ２０１の球面２０１ｄをホルダ１３１の受け部１３１ｂに載せる。この状態では、レンズホルダ２０１は、球面２０１ｄが受け部１３１ｂに摺接してどの方向にも揺動可能となっている。
【００４４】
しかる後、後述のように、ＣＤ／ＤＶＤ用対物レンズ１２７が持つコマ収差を打ち消す方向にＣＤ／ＤＶＤ用対物レンズ１２７を揺動させ、所望の傾き位置においてレンズホルダ２０１の周面とホルダ１３１の上面とを接着剤により固定する。こうして、ＣＤ／ＤＶＤ用対物レンズ１２７が持つコマ収差を打ち消す位置に、ＣＤ／ＤＶＤ用対物レンズ１２７が固定される。なお、ＣＤ／ＤＶＤ用対物レンズ１２７を傾ける方向は、後述のように、ＤＶＤ用の赤色レーザ光に生じる非点収差を抑制する方向に設定される。
【００４５】
図４は、ＢＤ用対物レンズ１０８とＣＤ／ＤＶＤ用対物レンズ１２７の傾け方を説明する模式図である。同図（ａ）は、ホルダ１３１を図１のＸ軸方向から見た側面図であり、同図（ｂ）は、ホルダ１３１を図１のＺ軸方向から見た上面図である。
【００４６】
なお、説明の便宜上、図４では、台座の上にＢＤ用対物レンズ１０８とＣＤ／ＤＶＤ用対物レンズ１２７が載せられるように図示されているが、実際は、図３に示すように、各対物レンズがレンズホルダに装着されて、対応する受け部（球面）に装着されている。１３１ｂは、ＣＤ／ＤＶＤ用対物レンズ１２７を保持するレンズホルダ２０１の底面（球面２０１ｄ）を受ける受け部であり、１３１ｃは、ＢＤ用対物レンズ１０８を保持するレンズホルダの底面（球面）を受ける受け部である。
【００４７】
図４（ａ）、（ｂ）には、ホルダ１３１が中立位置にあるときの状態が示されている。ここで、「中立位置」とは、赤外レーザ光または青色レーザ光が、それぞれ、ＣＤまたはＢＤの記録層にオンフォーカスされたときのホルダ１３１の位置である。本実施の形態では、ホルダ１３１が中立位置にあるとき、ホルダ１３１の上面は、赤外レーザ光の光軸ＬＣまたは青色レーザ光の光軸ＬＢに対して垂直になる。ＢＤ用対物レンズ１０８とＣＤ／ＤＶＤ用対物レンズ１２７は、ホルダ１３１が中立位置にあるときのホルダ１３１の上面を基準面Ｓ０として、傾きが調整される。なお、「基準面」は、このようにホルダ１３１に実際に存在しても良く、あるいは、ホルダ１３１に仮想的に設定された面であっても良い。なお、実際の設計では、光ピックアップ装置が光ディスク装置のガイドシャフトに案
内されてスレッド方向に移動する平面が「基準面」に設定され得る。
【００４８】
図４（ａ）、（ｂ）を参照して、ＢＤ用対物レンズ１０８とＣＤ／ＤＶＤ用対物レンズ１２７は、成形誤差等により、それぞれ、各波長のレーザ光について、固有のコマ収差（以下、このコマ収差のことを「固有コマ収差」という）を持っている。ここで、固有コマ収差の大きさは、対物レンズに入射するレーザ光の波長に応じて変化する。これに対し、固有コマ収差の方向は、対物レンズに入射するレーザ光の波長が異なっても変化しない。
【００４９】
本実施の形態では、ＢＤ用対物レンズ１０８における青色レーザ光の固有コマ収差ＣＬｂと、ＣＤ／ＤＶＤ用対物レンズ１２７における赤外レーザ光の固有コマ収差ＣＬｃの方向が、ともに、ディスク径方向に平行で、且つ、ディスク外周方向（Ｙ軸正方向）を向くように、ＢＤ用対物レンズ１０８とＣＤ／ＤＶＤ用対物レンズ１２７が配置される。そうして、ＢＤ用対物レンズ１０８とＣＤ／ＤＶＤ用対物レンズ１２７を、それぞれ、基準面Ｓ０に平行な状態から、Ｙ−Ｚ平面に平行でディスク外周側が持ち上がる方向に角度α、βだけ傾けて、ホルダ１３１に装着する。
【００５０】
このようにＢＤ用対物レンズ１０８とＣＤ／ＤＶＤ用対物レンズ１２７を傾けると、固有コマ収差ＣＬｂ、ＣＬｃの方向と逆向きのコマ収差（以下、このコマ収差のことを「補正コマ収差」という）が発生する。ここで、補正コマ収差の大きさは、対物レンズに入射するレーザ光の波長に応じて変化し、また、対物レンズの傾き角に応じて変化する。なお、補正コマ収差の方向は、対物レンズの傾き方向に依存する。
【００５１】
ＢＤ用対物レンズ１０８の傾き角αは、この傾きによって青色レーザ光に生じる補正コマ収差ＣＡｂが固有コマ収差ＣＬｂを打ち消す大きさとなる角度に設定される。また、ＣＤ／ＤＶＤ用対物レンズ１２７の傾き角βは、この傾きによって赤外レーザ光に生じる補正コマ収差ＣＡｃが固有コマ収差ＣＬｃを打ち消す大きさとなる角度に設定される。かかる角度調節は、回折格子１０２、１２２により分割された３つのビームのうち、メインビームに基づいて行われる。
【００５２】
このようにＢＤ用対物レンズ１０８とＣＤ／ＤＶＤ用対物レンズ１２７をホルダ１３１に装着することで、青色レーザ光と赤外レーザ光についての固有コマ収差ＣＬｂ、ＣＬｃが抑制される。よって、青色レーザ光と赤外レーザ光を、良好なビーム状態にて、ＢＤとＣＤの記録層に照射することができる。
【００５３】
なお、このように、ＣＤ用の赤外レーザ光を基準にＣＤ／ＤＶＤ用対物レンズ１２７の傾き角βが設定されると、以下のとおり、ＤＶＤ用の赤色レーザについての固有コマ収差もまた、円滑に抑制される。
【００５４】
図５（ａ）は、ＣＤ／ＤＶＤ用対物レンズ１２７を傾けることによって、ＤＶＤ用の赤色レーザ光についての固有コマ収差が抑制されることを模式的に示す図である。
【００５５】
上記のように、ＤＶＤ用の赤色レーザ光は、コリメータレンズ１２４に対し、光軸ずれを持った状態で入射する。このため、コリメータレンズ１２４を通った後の赤色レーザ光は、ＣＤ用の赤外レーザ光の光軸に近づく方向に進むようになる。したがって、赤色レーザ光は、図５（ａ）に示すように、ＣＤ用の赤外レーザ光の光軸ＬＣに対し傾いた状態で、ＣＤ／ＤＶＤ用対物レンズ１２７に入射する。
【００５６】
上記の如く、ＣＤ／ＤＶＤ用対物レンズ１２７は、ディスク外周側が持ち上げられるようにして、角度βだけ傾いているため、赤色レーザ光の光軸ＬＤに対するＣＤ／ＤＶＤ用対物レンズ１２７の光軸Ｌ０の傾き角γ１は比較的小さくなる。よって、ＣＤ／ＤＶＤ用
対物レンズ１２７を傾けることによって赤色レーザ光に生じる補正コマ収差ＣＡｄは、小さいものとなる。
【００５７】
しかしながら、赤色レーザ光は、ディスク（ＤＶＤ）に対して斜め方向から入射するため、ディスクのカバー層においてコマ収差（以下、このコマ収差を「ディスクコマ収差」という）が発生する。かかるディスクコマ収差ＣＤｄの方向は、赤色レーザ光に対する固有コマ収差ＣＬｄの方向と反対で、補正コマ収差ＣＡｄの方向と同じとなる。よって、上記のように赤色レーザ光に生じる補正コマ収差ＣＡｄが比較的小さくても、ディスクコマ収差ＣＤｄと相俟って、固有コマ収差ＣＬｄを円滑に抑制することができる。
【００５８】
ところで、本実施の形態では、ＢＤ用対物レンズ１０８とＣＤ／ＤＶＤ用対物レンズ１２７を、ともに、ディスク外周側を持ち上げるように傾けることで、固有コマ収差ＣＬｂ、ＣＬｃ、ＣＬｄを抑制するようにしている。しかし、これとは逆に、固有コマ収差ＣＬｂ、ＣＬｃの方向がディスク内周側を向くようにＢＤ用対物レンズ１０８とＣＤ／ＤＶＤ用対物レンズ１２７を配したとしても、ＢＤ用対物レンズ１０８とＣＤ／ＤＶＤ用対物レンズ１２７を、それぞれ、ディスク内周側を持ち上げるように、角度α、βだけ傾けて配置することによって、青色レーザ光と赤外レーザ光に対する固有コマ収差ＣＬｂ、ＣＬｃを抑制することができる。この場合、上記とは逆方向に、青色レーザ光と赤外レーザ光に対する補正コマ収差ＣＡｂ、ＣＡｃが生じ、これにより、固有コマ収差ＣＬｂ、ＣＬｃが打ち消される。
【００５９】
また、この場合、図５（ｂ）に示すように、赤色レーザ光の光軸ＬＤに対するＣＤ／ＤＶＤ用対物レンズ１２７の光軸Ｌ０の傾き角γ２は大きくなる。このため、赤色レーザ光に対する補正コマ収差ＣＡｄも大きくなる。しかし、この場合、赤色レーザ光に対するディスクコマ収差ＣＤｄの方向は、赤色レーザ光に対する固有コマ収差ＣＬｄの方向と同じで、補正コマ収差ＣＡｄの方向と逆になる。したがって、この場合は、固有コマ収差ＣＬｄとディスクコマ収差ＣＤｄの両方を補正コマ収差ＣＡｄによって打ち消す必要がある。よって、上記のように赤色レーザ光に生じる補正コマ収差ＣＡｄが比較的大きくても、これにより、ディスクコマ収差ＣＤｄと固有コマ収差ＣＬｄの両方を円滑に抑制することができる。
【００６０】
このように、固有コマ収差ＣＬｂ、ＣＬｃ、ＣＬｄは、ＢＤ用対物レンズ１０８とＣＤ／ＤＶＤ用対物レンズ１２７の傾き方向を、図５（ａ）の方向と逆にしても、固有コマ収差ＣＬｂ、ＣＬｃ、ＣＬｄの方向を図５（ａ）の方向と逆にすることにより、円滑に抑制することができる。
【００６１】
しかし、このように、ＣＤ／ＤＶＤ用対物レンズ１２７の傾き方向を図５（ａ）の方向と逆にすると、図５（ｂ）のように、赤色レーザ光の光軸ＬＤに対するＣＤ／ＤＶＤ用対物レンズ１２７の光軸Ｌ０の傾き角γ２が大きくなるため、赤色レーザ光に生じる非点収差の大きさが、同図（ａ）の場合に比べ、かなり大きくなってしまう。このため、ＤＶＤの記録層上における赤色レーザ光のビーム特性が劣化し、記録／再生特性が悪くなる惧れがある。
【００６２】
図６は、赤色レーザ光の光軸ＬＤに対するＣＤ／ＤＶＤ用対物レンズ１２７の光軸Ｌ０の傾き角と、赤色レーザ光に生じる非点収差の関係を模式的に示す図である。同図中、γ０は、ＣＤ／ＤＶＤ用対物レンズ１２７がホルダ１３１の基準面Ｓ０に対して傾いていない状態（ＣＤ／ＤＶＤ用対物レンズ１２７の光軸がホルダ１３１の基準面Ｓ０に垂直である状態）にあるときの、赤色レーザ光の光軸ＬＤに対するＣＤ／ＤＶＤ用対物レンズ１２７の光軸Ｌ０の傾き角である。γ１、γ２は、それぞれ、図５（ａ）、（ｂ）のγ１、γ２に相当する。
【００６３】
図６の関係図から分かるように、ＣＤ／ＤＶＤ用対物レンズ１２７は、赤色レーザ光の光軸ＬＤに対するＣＤ／ＤＶＤ用対物レンズ１２７の光軸Ｌ０の傾き角が小さくなる方向に傾けるのが望ましい。よって、図５（ｂ）のようにＣＤ／ＤＶＤ用対物レンズ１２７を傾けるのではなく、図５（ａ）に示す本実施の形態のように、ディスク外周側を持ち上げるようにしてＣＤ／ＤＶＤ用対物レンズ１２７を傾けるのが望ましい。
【００６４】
以上、本実施の形態によれば、ＢＤ用対物レンズ１０８とＣＤ／ＤＶＤ用対物レンズ１２７を傾けることにより、これら対物レンズに固有に発生する固有コマ収差が抑制される。また、ＣＤ／ＤＶＤ用対物レンズ１２７を傾ける方向が、赤色レーザ光の光軸ＬＤに対するＣＤ／ＤＶＤ用対物レンズ１２７の光軸Ｌ０の傾き角が小さくなる方向に設定されているため、赤色レーザ光に生じる非点収差が抑制される。
【００６５】
このように、本実施の形態によれば、コマ収差とともに赤色レーザ光の非点収差を円滑に抑制でき、ＣＤ、ＤＶＤ、ＢＤに照射されるレーザ光のビーム特性を高めることができる。結果、ＣＤ、ＤＶＤ、ＢＤに対する記録／再生特性を高めることができる。
【００６６】
また、本実施の形態では、コリメータレンズ１２４を透過した赤色レーザ光が赤外レーザ光の光軸ＬＣに近づく方向に、ＣＤ／ＤＶＤ用対物レンズ１２７を傾けたため、赤色レーザ光の光軸ＬＤに対するＣＤ／ＤＶＤ用対物レンズ１２７の光軸Ｌ０の傾き角を効率的に減少させることができ、赤色レーザ光に生じる非点収差を効果的に抑制することができる。
【００６７】
さらに、本実施の形態では、ＢＤ用対物レンズ１０８を傾ける方向とＣＤ／ＤＶＤ用対物レンズ１２７を傾ける方向を、ディスク径方向に揃えたため、各対物レンズをホルダ１３１に装着する際に、固有コマ収差の発生方向が向く方向と各対物レンズを傾斜させる方向とを一律に決めることができ、対物レンズ装着時の作業性を高めることができる。
【００６８】
以上、本発明の実施の形態について説明したが、本発明は上記実施の形態に何ら制限されるものではなく、また、本発明の実施の形態も上記の他に種々の変更が可能である。
【００６９】
たとえば、上記実施の形態では、図７（ｂ）に示すように、赤外レーザ光の光軸ＬＣに対する赤色レーザ光の光軸ＬＤの傾き方向（光軸ＬＤが光軸ＬＣに近づく方向）ＤＬｄがディスク径方向であったため、ＣＤ／ＤＶＤ用対物レンズ１２７の傾き方向ＤＬｏをディスク径方向に傾けることにより、赤色レーザ光に生じる非点収差が効率的に抑制された。
【００７０】
これに対し、赤色レーザ光の光軸ＬＤの傾き方向ＤＬｄが、同図（ｃ）のように、ディスク径方向とは異なる方向である場合には、固有コマ収差ＣＬｃの発生方向とＣＤ／ＤＶＤ用対物レンズ１２７の傾き方向ＤＬｏが傾き方向ＤＬｄと平行になる方向に調整することにより、上記実施の形態と同様、赤色レーザ光の光軸ＬＤに対するＣＤ／ＤＶＤ用対物レンズ１２７の光軸Ｌ０の傾き角γを効率的に減少させることができ、赤色レーザ光に生じる非点収差を効果的に抑制することができる。
【００７１】
なお、同図（ｄ）に示すように、赤色レーザ光の光軸ＬＤの傾き方向ＤＬｄが、ディスク径方向とは異なる方向である場合に、固有コマ収差ＣＬｃの発生方向とＣＤ／ＤＶＤ用対物レンズ１２７の傾き方向ＤＬｏを、上記実施の形態と同様、ディスク径方向に設定しても、ＣＤ／ＤＶＤ用対物レンズ１２７を傾けることで、赤色レーザ光の光軸ＬＤに対するＣＤ／ＤＶＤ用対物レンズ１２７の光軸Ｌ０の傾き角γを減少させることができ、赤色レーザ光に生じる非点収差を効果的に抑制することができる。ただし、この場合は、同図（ｂ）、（ｃ）の場合に比べ、ＣＤ／ＤＶＤ用対物レンズ１２７を角度βだけ傾けたとき
の傾き角γの減少量が少ないため、非点収差の抑制の程度は、同図（ｂ）、（ｃ）の場合に比べて小さくなる。
【００７２】
図８、図９は、赤外レーザ光の光軸ＬＣに対する赤色レーザ光の光軸ＬＤの傾き方向ＤＬｄと、赤色レーザ光に生じる非点収差の関係を示す模式的に示す図である。
【００７３】
図８（ａ）は、赤色レーザ光の光軸ＬＤの傾き方向ＤＬｄとＣＤ／ＤＶＤ用対物レンズ１２７の傾き方向ＤＬｏが、上記実施の形態のように設定されている状態を示す図である。この場合、上記実施の形態のように、ＣＤ／ＤＶＤ用対物レンズ１２７を基準面に平行な状態から、ディスク径方向（傾き方向ＤＬｏ）に角度βだけ傾けると、同図（ｂ）に示すように、赤色レーザ光の光軸ＬＤに対するＣＤ／ＤＶＤ用対物レンズ１２７の光軸Ｌ０の傾き角γは、同図Ａ１に示す傾き角（γ１）となり、赤色レーザ光に生じる非点収差は、最も抑制される。
【００７４】
図８（ｃ）は、赤色レーザ光の光軸ＬＤの傾き方向ＤＬｄとＣＤ／ＤＶＤ用対物レンズ１２７の傾き方向ＤＬｏが、ずれている状態を示す図である。この場合、上記実施の形態のように、ＣＤ／ＤＶＤ用対物レンズ１２７を基準面に平行な状態から、ディスク径方向（傾き方向ＤＬｏ）に角度βだけ傾けると、同図（ｄ）に示すように、赤色レーザ光の光軸ＬＤに対するＣＤ／ＤＶＤ用対物レンズ１２７の光軸Ｌ０の傾き角γは、同図Ａ２の破線位置の角度となり、赤色レーザ光に生じる非点収差は、ＡＳ２となる。このとき生じる非点収差ＡＳ２は、同図（ａ）、（ｂ）の場合よりも大きくなるが、ＣＤ／ＤＶＤ用対物レンズ１２７が基準面に平行なとき（γ＝γ０のとき）に比べて改善される。
【００７５】
図９（ａ）は、赤色レーザ光の光軸ＬＤの傾き方向ＤＬｄとＣＤ／ＤＶＤ用対物レンズ１２７の傾き方向ＤＬｏが、９０度ずれている状態を示す図である。この場合、上記実施の形態のように、ＣＤ／ＤＶＤ用対物レンズ１２７を基準面に平行な状態から、ディスク径方向（傾き方向ＤＬｏ）に角度βだけ傾けても、同図（ｂ）に示すように、赤色レーザ光の光軸ＬＤに対するＣＤ／ＤＶＤ用対物レンズ１２７の光軸Ｌ０の傾き角は、傾ける前と同じく、同図Ａ３の破線位置の角度（γ０）となり、赤色レーザ光に生じる非点収差は、ＡＳ３となる。このとき生じる非点収差ＡＳ３は、図８（ａ）〜（ｄ）の場合よりも大きくなり、ＣＤ／ＤＶＤ用対物レンズ１２７が基準面に平行なときから改善されない。
【００７６】
図９（ｃ）は、赤色レーザ光の光軸ＬＤの傾き方向ＤＬｄとＣＤ／ＤＶＤ用対物レンズ１２７の傾き方向ＤＬｏが、９０度よりも大きくずれている状態を示す図である。この場合、上記実施の形態のように、ＣＤ／ＤＶＤ用対物レンズ１２７を基準面に平行な状態から、ディスク径方向（傾き方向ＤＬｏ）に角度βだけ傾けると、同図（ｄ）に示すように、赤色レーザ光の光軸ＬＤに対するＣＤ／ＤＶＤ用対物レンズ１２７の光軸Ｌ０の傾き角γは、同図Ａ４の破線位置の角度となり、赤色レーザ光に生じる非点収差は、ＡＳ４となる。このとき生じる非点収差ＡＳ２は、図９（ａ）、（ｂ）の場合よりもさらに大きくなり、ＣＤ／ＤＶＤ用対物レンズ１２７が基準面に平行なときよりも悪化する。
【００７７】
なお、図８（ａ）〜（ｄ）および図９（ａ）〜（ｄ）の場合は、何れも、ＣＤ／ＤＶＤ用対物レンズ１２７を角度βだけ傾けることによって、赤外レーザ光と赤色レーザ光に対するＣＤ／ＤＶＤ用対物レンズ１２７の固有コマ収差ＣＬｃ、ＣＬｄは抑制される。
【００７８】
図８、図９を参照して分かるとおり、コマ収差とともに非点収差をも改善する場合には、赤色レーザ光の光軸ＬＤの傾き方向ＤＬｄとＣＤ／ＤＶＤ用対物レンズ１２７の傾き方向ＤＬｏのずれが９０度未満となっている必要がある。最も好ましくは、上記実施の形態のように、赤色レーザ光の光軸ＬＤの傾き方向ＤＬｄとＣＤ／ＤＶＤ用対物レンズ１２７の傾き方向ＤＬｏが平行になっているのが良い。したがって、ＣＤ／ＤＶＤ用光学系のレ
イアウトは、赤色レーザ光の光軸ＬＤの傾き方向ＤＬｄとＣＤ／ＤＶＤ用対物レンズ１２７の傾き方向ＤＬｏのずれが９０度未満となる範囲で、なるべく、傾き方向ＤＬｄと傾き方向ＤＬｏが平行に近づくように設定されるのが望ましい。
【００７９】
図１０は、光ピックアップ装置の光学系のレイアウトを、図１の構成から変更した場合の構成例である。図１０の構成例では、図１に比べ、ＢＤ光学系とＣＤ／ＤＶＤ光学系が、それぞれ、反時計方向に所定角度だけ回転するように、レイアウトが変更されている。ホルダ１３１は、図１の場合と同様に配置され、ＢＤ用対物レンズ１０８とＣＤ／ＤＶＤ用対物レンズ１２７は、上記と同様、ディスク径方向（Ｙ軸方向）に並ぶように配置される。
【００８０】
図１１（ａ）、（ｂ）を参照して、この変更例では、ＣＤ／ＤＶＤ用対物レンズ１２７の傾き方向ＤＬｏが、上記実施の形態と同様、ディスク径方向に設定される。ＣＤ／ＤＶＤ用対物レンズ１２７は、上記実施の形態と同様、ディスク径方向に角度βだけ傾いている。また、赤外レーザ光の光軸ＬＣに対する赤色レーザ光の光軸ＬＤの傾き方向ＤＬｄは、ディスク径方向に平行な方向から反時計方向にずれている。ここでは、赤色レーザ光の光軸ＬＤの傾き方向ＤＬｄとＣＤ／ＤＶＤ用対物レンズ１２７の傾き方向ＤＬｏのずれが３０度程度となっている。ＢＤ用対物レンズ１０８は、上記実施の形態と同様、ディスク径方向に角度αだけ傾けられている。
【００８１】
かかる構成においても、上記実施の形態と同様、ＣＤ／ＤＶＤ用対物レンズ１２７とＢＤ用対物レンズ１０８を傾けることで、これら対物レンズにおける固有コマ収差が抑制される。また、赤色レーザ光の光軸ＬＤの傾き方向ＤＬｄとＣＤ／ＤＶＤ用対物レンズ１２７の傾き方向ＤＬｏのずれが９０度未満であるため、図８、図９を参照して説明した通り、赤色レーザ光に生じる非点収差が抑制される。
【００８２】
図１２は、図１１に示す光学系を有する光ピックアップ装置において、ＣＤ／ＤＶＤ用対物レンズ１２７を上記のように角度βだけ傾けて固有コマ収差を抑制したときの、赤色レーザ光に生じる非点収差を測定した測定結果である。ここでは、異なる５つの光ピックアップ装置を用いて測定が行われた。検証に用いた光ピックアップ装置では、赤外レーザ光の光軸ＬＣに対する赤色レーザ光の光軸ＬＤの傾き方向ＤＬｄとＣＤ／ＤＶＤ用対物レンズ１２７の傾き方向ＤＬｏのずれが３０度であった。なお、赤外レーザ光の光軸ＬＣに対する赤色レーザ光の光軸ＬＤの傾き方向ＤＬｄは、図２（ｂ）において、半導体レーザ１２１を、レーザ素子１２１ｂの光軸を軸として回転させることにより調整できる。
【００８３】
縦軸の非点隔差は、ＣＤ／ＤＶＤ用対物レンズ１２７で赤色レーザ光を収束させたときの２つの焦線間の距離である。非点隔差は、メインビームについて、スポット測定器で測定した。また、同図右側のプロット群は、上記実施の形態のようにＣＤ／ＤＶＤ用対物レンズ１２７をディスク径方向に角度βだけ傾けたときの各光ピックアップ装置についての測定結果であり、同図左側のプロット群は、ＣＤ／ＤＶＤ用対物レンズ１２７を、上記実施の形態と反対方向に角度βだけ傾けたときの各光ピックアップ装置についての測定結果（比較例）である。
【００８４】
図示の如く、本実施の形態によれば、比較例に比べ、非点隔差が顕著に改善されている。
【００８５】
図１３は、図１２の測定に用いた２つの光ピックアップ装置（ＰＵ１、ＰＵ２）を用いて、ジッタを測定した測定結果である。この測定では、赤色レーザ光のビームスポットをＤＶＤのトラックに対してディスク径方向にオフトラックさせ、そのときのジッタ量を測定したものである。横軸は、オフトラック量を示し、縦軸は、ジッタ量を示している。同
図の“変更前”は、図１２における比較例を示し、“変更後”は、図１２における本実施の形態による構成を用いた場合を示している。
【００８６】
図示の如く、比較例では、大きなジッタが生じており、ジッタが最小値（ボトム）となる位置が、オフトラック量がゼロである位置からずれている。これに対し、本実施の形態によれば、比較例に比べ、ジッタが顕著に改善され、ボトムの位置もオフトラック量がゼロの位置に概ね一致している。これは、赤色レーザ光に生じる非点収差が抑制され、ビーム特性が改善されたことによるものと考えられる。
【００８７】
図１２、１３の測定結果からも分かるとおり、図１１の変更例のように、赤外レーザ光の光軸ＬＣに対する赤色レーザ光の光軸ＬＤの傾き方向ＤＬｄと、ＣＤ／ＤＶＤ用対物レンズ１２７の傾き方向ＤＬｏとがずれたような構成によっても、コマ収差とともに、赤色レーザ光に生じる非点収差も、効果的に抑制することができる。また、これらの測定結果から、図１の構成のように、赤外レーザ光の光軸ＬＣに対する赤色レーザ光の光軸ＬＤの傾き方向ＤＬｄと、ＣＤ／ＤＶＤ用対物レンズ１２７の傾き方向ＤＬｏとを互いに平行となっていると、一層良好なビーム特性が得られるものと想定される。
【００８８】
上記実施の形態では、２つの対物レンズを用いる光ピックアップ装置を例示したが、光ピックアップ装置の光学系は上記に例示したものに限られるものではなく、一つの対物レンズのみを用いる光ピックアップ装置に本発明を適用することも勿論可能である。ただし、この場合、一つの対物レンズに波長の異なる３種類のレーザ光が入射する。なお、ＣＤ／ＤＶＤ用の光ピックアップ装置が一つの対物レンズのみを有する場合には、上記実施の形態と同様、一つの対物レンズに波長の異なる３種類のレーザ光が入射する。この場合、上記実施の形態の構成から、ＢＤ用対物レンズ１０８を含むＢＤ用光学系が省略される。
【００８９】
また、上記実施の形態では、ＢＤ用対物レンズ１０８がディスク内周側に配され、ＣＤ／ＤＶＤ用対物レンズ１２７がディスク外周側に配されたが、ＢＤ用対物レンズ１０８がディスク外周側に配され、ＣＤ／ＤＶＤ用対物レンズ１２７がディスク内周側に配されても良い。
【００９０】
また、赤色レーザ光を出射するレーザ素子１２１ａの位置を、たとえば、図２（ｂ）において、赤外レーザ光の光軸を中心として１８０度回転させて、半導体レーザ１２１を配置しても良い。この場合、赤色レーザ光の光軸は、赤外レーザ光の光軸に対し、たとえば図５に示す状態とは逆の方向に傾く。よって、この場合には、ＣＤ／ＤＶＤ用対物レンズ１２７を、上記実施の形態とは逆方向、すなわち、同図（ｂ）に示すように、傾ければ良い。
【００９１】
また、上記実施の形態では、ＢＤ光学系のビームスプリッタとしてキュービック状のビームスプリッタ１０３を図示したが、これに替えて、ＣＤ／ＤＶＤ光学系と同様、透明な平行平板をレーザ光の光軸に対して傾くように配置しても良い。この場合、アナモレンズ１０９に替えて、ＣＤ／ＤＶＤ光学系と同様、補正板を配置するようにしても良い。
【００９２】
さらに、上記実施の形態では、３ビーム方式の光ピックアップ装置を例示したが、本発明は、１ビーム方式の光ピックアップ装置にも適用可能である。
【００９３】
この他、本発明は、ＢＤ／ＤＶＤ／ＣＤ互換タイプ以外の光ピックアップ装置にも適用可能であり、また、ＨＤＤＶＤ用の光ピックアップ装置にも適宜適用可能である。
【００９４】
本発明の実施の形態は、特許請求の範囲に示された技術的思想の範囲内において、適宜、種々の変更が可能である。
【符号の説明】
【００９５】
１０１  …  半導体レーザ（第２のレーザ光源）
１０８  …  ＢＤ用対物レンズ（第２の対物レンズ）
１２１  …  半導体レーザ（第１のレーザ光源）
１２４  …  コリメータレンズ
１２７  …  ＣＤ／ＤＶＤ用対物レンズ（第１の対物レンズ）
１３１  …  ホルダ
１３２  …  対物レンズアクチュエータ
Ｓ０  …  基準面
【図１】
2011227943.tif 000003
【図２】
2011227943.tif 000004
【図３】
2011227943.tif 000005
【図４】
2011227943.tif 000006
【図５】
2011227943.tif 000007
【図６】
2011227943.tif 000008
【図７】
2011227943.tif 000009
【図８】
2011227943.tif 000010
【図９】
2011227943.tif 000011
【図１０】
2011227943.tif 000012
【図１１】
2011227943.tif 000013
【図１２】
2011227943.tif 000014
【図１３】
2011227943.tif 000015